(57)【要約】【課題】番組を特徴別に分類し、使用者好みのカテゴリに該当する番組をミニマップ方式の番組ガイドとして表示する方法を提供すること。【解決手段】本発明によるミニマップを用いたＥＰＧ情報表示方法は、デジタル放送受信機の画面の一部にミニマップを表示するステップと、使用者が、全体の番組の中から特定のカテゴリ内の特定の項目を選択するステップと、前記選択によりフィルタリングされた結果を前記ミニマップを用いて表示するステップと、前記ミニマップ内でカーソルの移動により他の番組を選択するステップとを含むことを特徴とする。【選択図】図４Ａ
2005080282.tif 000002
【特許請求の範囲】
【請求項１】
デジタル放送信号に含まれたサービス情報ＳＩを利用してＥＰＧ情報をミニマップを用いてデジタル放送受信機の画面に表示する方法において、
前記デジタル放送受信機の画面の一部にミニマップを表示する第１のステップと、
全体の番組の中から特定のカテゴリ内の特定の項目をユーザから選択される第２のステップと、
前記選択によりフィルタリングされた結果を、前記ミニマップを用いて表示する第３のステップとを含み、
前記ミニマップは、チャンネルや時間帯を軸とする２次元の平面上で各番組を代表するセルからなることを特徴とするミニマップを用いたＥＰＧ情報表示方法。
【請求項２】
前記第１のステップの前に、前記デジタル放送受信機の画面の所定の位置にグリッドガイド及び現在放映中の番組映像を表示するステップをさらに含むことを特徴とする請求項１に記載のミニマップを用いたＥＰＧ情報表示方法。
【請求項３】
前記ミニマップ内でカーソルの移動により他の番組を選択するステップをさらに含むことを特徴とする請求項１に記載のミニマップを用いたＥＰＧ情報表示方法。
【請求項４】
前記第１のステップは、ミニマップをＥＰＧ画面モードで見たい場合には、リモコンのＥＰＧキーを押してＥＰＧ画面モードに切り替えるステップと、
リモコンのミニマップキーを押してＥＰＧ画面モードの画面の一部にミニマップを表示するステップとを含み、
ミニマップを番組放映モードで見たい場合には、ミニマップキーを押して放映される番組の映像の一部の上にミニマップを表示するステップとを含むことを特徴とする請求項１に記載のミニマップを用いたＥＰＧ情報表示方法。
【請求項５】
前記特定のカテゴリは、番組のジャンル別カテゴリを含むことを特徴とする請求項１に記載のミニマップを用いたＥＰＧ情報表示方法。
【請求項６】
前記特定のカテゴリは、番組の等級別カテゴリ、番組の画質別カテゴリ、及び番組の予約の有無によるカテゴリをさらに含むことを特徴とする請求項５に記載のミニマップを用いたＥＰＧ情報表示方法。
【請求項７】
前記他の番組を選択するステップは、
リモコンの方向キーを押して他の番組を選択するステップと、
前記選択された番組が現在放映可能な番組であれば、選択された番組の放映画面に切り替えられるステップと、
前記選択された番組が現在放映ができない番組であれば、選択された番組を代表するスチルイメージを示す画面に切り替えるステップとを含むことを特徴とする請求項３に記載のミニマップを用いたＥＰＧ情報表示方法。
【請求項８】
前記番組を代表するセルは、
前記ジャンル別カテゴリ内の各項目別にそれぞれ異なる色相を有することを特徴とする請求項１に記載のミニマップを用いたＥＰＧ情報表示方法。
【請求項９】
前記番組を代表するセルのうち、現在放映が終了した番組を代表するセルは、過去の番組であることを示す別の色相を有することを特徴とする請求項１に記載のミニマップを用いたＥＰＧ情報表示方法。
【請求項１０】
前記番組を代表するセルのうち、現在視聴中の番組に該当するセルを所定の形態を用いて表示することを特徴とする請求項１に記載のミニマップを用いたＥＰＧ情報表示方法。
【請求項１１】
前記ミニマップにＥＰＧ全体の情報が表示されない場合には、スクロールによりミニマップを用いて全体のＥＰＧ情報を利用できるようにすることを特徴とするミニマップを用いた請求項１に記載のＥＰＧ情報表示方法。
【請求項１２】
デジタル放送信号に含まれたサービス情報ＳＩを利用してＥＰＧ情報を画面に表示するデジタル放送受信機において、
前記デジタル放送受信機の画面の一部にミニマップを表示する第１の手段と、
全体の番組の中から特定のカテゴリ内の特定の項目をユーザから選択される第２の手段と、
前記選択によりフィルタリングされた結果を前記ミニマップに表示する第３の手段とを備え、
前記ミニマップは、チャンネルや時間帯を軸とする２次元の平面上で各番組を代表するセルからなることを特徴とするデジタル放送受信機。
【請求項１３】
前記ミニマップ内でカーソルの移動により他の番組を選択する手段をさらに備えることを特徴とする請求項１２に記載のデジタル放送受信機。
【請求項１４】
前記特定のカテゴリは、番組のジャンル別カテゴリを含むことを特徴とする請求項１２に記載のデジタル放送受信機。
【請求項１５】
前記特定のカテゴリは、番組の等級別カテゴリと、番組の画質別カテゴリと、番組の予約の有無によるカテゴリとをさらに含むことを特徴とする請求項１４に記載のデジタル放送受信機。
【請求項１６】
前記番組を代表するセルは、前記ジャンル別カテゴリ内の各項目別にそれぞれ異なる色相を有することを特徴とする請求項１２に記載のデジタル放送受信機。
【請求項１７】
前記番組を代表するセルのうち、現在放映が終了した番組を代表するセルは、過去の番組であることを示す別の色相を有する請求項１２に記載のことを特徴とするデジタル放送受信機。
【請求項１８】
前記番組を代表するセルのうち、現在視聴中の番組に該当するセルを所定の形態を用いて表示することを特徴とする請求項１２に記載のデジタル放送受信機。
【請求項１９】
前記ミニマップにＥＰＧ全体の情報が表示されない場合には、スクロールによりミニマップを用いて全体のＥＰＧ情報を利用できるようにすることを特徴とする請求項１２に記載のデジタル放送受信機。
【発明の詳細な説明】
【技術分野】
【０００１】
本発明は、ＥＰＧ(Electronic Program Guide)情報を画面に表示する方法に関し、より詳しくは、番組を特徴別に分類し、使用者好みのカテゴリに該当する番組をミニマップ(Mini-map)方式の番組ガイドとして表示する方法に関する。
【背景技術】
【０００２】
一般に、ＴＶは、リモートコントロールのような使用者入力装置と、音声(audio)/映像(video)情報を復号するＡ/Ｖ処理部と、システム情報(service information)から様々なチャンネル情報を分離するデータ処理部と、前記分離されたチャンネル情報を格納するデータベースと、ＴＶの動作やＥＰＧの表示を制御する制御部とを備えている。
【０００３】
ＴＶが放送信号を受信すると、逆多重化部は、放送信号から音声/映像情報と付加情報とを分離する。このように分離された前記音声/映像情報は、ＡＶ処理部に入力され、前記付加情報は、データ処理部に入力される。前記付加情報は、一般にＰＡＴ(Program Association Table)、ＴＤＴ(Time Date Table)/ＴＯＴ(Time Offset Table)、ＥＩＴ(Event Information Table)などからなる。前記ＰＡＴは、複数の番組に関する情報を含み、前記ＴＤＴ/ＴＯＴは、各番組の時間情報を含む。また、ＥＩＴは、各番組のタイトル、あらまし、放送制限等級、開始/終了時間、放映時間などの情報を含む。前記データ処理部は、前記付加情報からＥＩＴ情報を分離し、設定のフォーマットでデータベースに格納する。
【０００４】
図１は、従来のＴＶに表示されたＥＰＧ画面を示す図であり、図示のように、ＥＰＧは、各チャンネル、順序、及び各時間別に割り当てられた各番組のリストを表示している。視聴者(viewer)は、図１のＥＰＧ画面から特定のチャンネルを選択すると、現在の時間に特定のチャンネルに予定された現在の番組と次の番組についての詳しい情報などの提供を受けることができる。
【０００５】
図１に示すように、従来のデジタルＴＶまたはセットトップボックスのディスプレイが持つ画面の大きさや解像度の制約のために、新聞に掲載される番組情報のような詳しい番組情報を一緒に提供することは難しい。また、複数のチャンネルや様々な番組により、番組のタイトルのみでは、自分好みの種類の番組を見付けにくい。たとえ、好みの番組の情報を得たとしても、該当のチャンネルに移動するときには、現在の視聴中の番組がどの位置にあるかを知らせる情報が文字(チャンネル番号)だけであって、前記該当のチャンネルに対する情報が容易に得られなかった。
【０００６】
このように、従来のＥＰＧ表示方法により使用者好みの番組を認識し、当該の番組を選択するには、相当の時間や努力が必要であるという問題点があった。
【発明の開示】
【発明が解決しようとする課題】
【０００７】
本発明は、上記問題点に鑑み、なされたものであり、ジャンル、等級、画質などのようなカテゴリにより、使用者好みのＥＰＧ情報をミニマップを用いて表示する方法を提供することを目的とする。
また、本発明は、ミニマップで表示されたＥＰＧを用いて、使用者が現在視聴している番組の相対的な位置を把握しやすくし、直観的に番組情報を把握できるようにする方法を提供することを目的とする。
また、本発明は、ミニマップで表示されたＥＰＧを用いて、使用者が好みのチャンネルを容易に選択できるようにする方法を提供することを目的とする。
【課題を解決するための手段】
【０００８】
上記の目的を達成するため、本発明によるミニマップを用いたＥＰＧ情報表示方法は、前記デジタル放送受信機の画面の一部にミニマップを表示する第１のステップと、全体の番組の中から特定のカテゴリ内の特定の項目をユーザから選択される第２のステップと、前記選択によりフィルタリングされた結果を前記ミニマップを用いて表示する第３のステップとを含み、前記ミニマップは、チャンネルや時間帯を軸とする２次元の平面上で各番組を代表するセルからなることを特徴とする。
【０００９】
また、本発明によるデジタル放送受信機は、前記デジタル放送受信機の画面の一部にミニマップを表示する手段と、使用者が、全体の番組の中から特定のカテゴリ内の特定の項目を選択する手段と、前記選択によりフィルタリングされた結果を前記ミニマップに表示する手段とを備え、前記ミニマップは、チャンネルや時間帯を軸とする２次元の平面上で各番組を代表するセルからなることを特徴とする。
【発明の効果】
【００１０】
このような本発明によるミニマップを用いたＥＰＧ情報表示方法によれば、使用者が直観的にＥＰＧ情報を把握することができ、使用者好みの番組を視聴できるようにより容易にチャンネル切り替えを行うことが可能となる。
また、本発明によれば、ディスプレイの空間的な制約を克服し、ＥＰＧ情報をより効率的に提供できる効果がある。
また、本発明によれば、ゲームやナビゲーションシステムで使用される方法をＥＰＧ情報提供方法に適用することにより、使用者のＥＰＧ使用方法に対する負担を減らし、製品の好感度を向上させることができる。
【発明を実施するための最良の形態】
【００１１】
以下、本発明の好ましい実施形態を、添付図面に基づいて詳しく説明する。
図２は、本発明の実施形態によるデジタル放送受信機２００の構成を示す図である。衛星、地上波またはケーブルなどを介して送信された放送信号は、アンテナ２０３により受信され、チューナー２０４に送信される。この放送信号には、ＴＶ番組の映像及び音声情報(以下、「ＴＶ番組情報」と称する)の他に、ＥＰＧの表示のために使用されるサービス情報(Service Information;以下、ＳＩと称する)が含まれる。チューナー２０４は、使用者が選択した受信帯域に同調し、受信した信号波をＩＦ(中間周波数)信号に変換し、復調部２０５に伝送する。復調部２０５は、入力されたデジタル信号を復調し、ＭＰＥＧ２の転送ストリーム(transport stream;以下、ＴＳと称する)形式でデータを逆多重化部２０６に供給する。
【００１２】
逆多重化部２０６は、入力されたＭＰＥＧ２のＴＳから指定されたサービスの音声データと映像データとを抽出し、それぞれオーディオデコーダ(audio decoder)２１０やビデオデコーダ(video decoder)２０８に供給する。ここで、音声データは、ＭＰＥＧ２-ＡＡＣ形式であり、映像データは、ＭＰＥＧ２-Video形式である。オーディオデコーダ２１０は、入力された音声データを復号し、番組音声データを生成し、これを音声処理部２１１に供給する。音声処理部２１１は、所定の音声信号を処理し、アンプを通して音声を出力する。
【００１３】
一方、ビデオデコーダ２０８は、映像データを復号し、番組映像データを生成し、ディスプレイプロセッサ２０９に供給する。ディスプレイプロセッサ２０９は、入力された番組映像データに所定の処理を行い、映像出力を生成する。かつ、ディスプレイプロセッサ２０９は、ＴＶディスプレイ画面に表示された番組映像に文字情報などをオーバーラップさせる機能を有する。
【００１４】
また、逆多重化部２０６は、入力されたＭＰＥＧ２のＴＳからＳＩを含む制御データを抽出する。ＳＩは、ＥＰＧ表示用データの元の形態であり、ＥＰＧ表示処理は、このようなＳＩを用いて行われる。逆多重化部２０６により抽出されたＳＩを含む制御データは、ＣＰＵ２１７の制御の下にあるＲＡＭ２１６内に記憶される。かつ、ＲＡＭ２１６には、ＥＰＧ表示を行うためのＥＰＧテキストデータも記憶される。フラッシュメモリ２１４は、ＥＰＧ表示を行うときに必要な様々なグラフィックデータ(番組表のフレーム、放送チャンネルのロゴマークなど)を記憶し、ＲＯＭ２１５は、ＥＰＧ用テキストデータとして使用されたフォントデータなどを記憶している。
【００１５】
事前契約型の限定放送は、サービス単位または番組単位で行われ、ＭＰＥＧ２のＴＳ型に暗号化されて送信される。限定受信処理部２０７は、暗号解読部２２０と、契約情報を書き込み、視聴できるかどうかを判断するＩＣカード２２１とから構成される。
このＩＣカード２２１は、放送事業者と提携しているサービスセンターから各受信機の使用者に配布される。このカードには、使用者と各放送事業者との契約内容により使用者の契約情報が書き込まれるが、一般に各使用者ごとにその記載内容が異なる。使用者が限定放送番組を選択した場合、限定受信処理部２０７は、該当の番組に対する契約が存在する場合には、使用者契約情報及び放送信号から得られる暗号解読関連情報を用いて、該当の番組のＭＰＥＧ２のＴＳに対する暗号解読を行う。従って、使用者は、該当の番組を視聴することが可能となる。一方、契約が存在しない場合には、ＭＰＥＧ２のＴＳの暗号の解読は行われず、使用者は、この限定放送番組を視聴することができなくなる。また、ペイ・パー・ヴュー(Pay Per View)番組の場合には、使用者が番組を購入した後に、ＩＣカード２２１に購入の事項が書き込まれ、一定の期間ごとに受信機側でモデム２１８及び空中回線を利用して放送送信事業者側にペイ・パー・ヴューの番組購入情報を送信する。
【００１６】
使用者がリモコン３００を用いて入力した命令は、インタフェース(I/O interface)２１３を介してＣＰＵ２１７に転送され認識される。ＣＰＵ２１７は、使用者の命令に応じて受信機２００内の各構成要素を制御する。例えば、使用者が設定したチャンネルの周波数に同調するための命令をチューナー２０４に転送する。
ＥＰＧを表示する場合に、ＣＰＵ２１７は、ＲＡＭ２１６に記憶されたＳＩを用いてＥＰＧテキストデータを作成する。次に、フラッシュメモリ２１４に記憶された番組表のフレームデータなどのグラフィックデータ、ＲＯＭ２１５内のフォントデータ、及びＥＰＧテキストデータを用いてＥＰＧ表示用データを作成し、ディスプレイプロセッサ２０９に供給する。ディスプレイプロセッサ２０９は、ビデオデコーダ２０８からの番組映像データやＥＰＧ表示用データを変更し、あるいは、番組データ上にＥＰＧ表示用データをオーバーラップして映像信号としてＴＶディスプレイ(図示せず)に出力する。
【００１７】
図３は、本発明の実施形態によるリモコンの外観を示す図である。ＥＰＧキー３０１は、番組の放映中(番組放映モード)にＥＰＧ画面モードに切り替え、番組情報を全体画面に表示するために使用され、ミニマップキー３０２は、本発明によるミニマップを画面の一部に表示するために使用される。ミニマップが存在しない一般のＥＰＧ画面の実行中にミニマップキー３０２を押すと、図４Ａのような画面が表示され、番組放映中にミニマップキー３０２を押すと、図４Ｂのような画面が表示される。切り替えキー３０３は、図４ＡのようなＥＰＧ画面と図４Ｂのような番組放映画面間の切り替えを行うときに使用される。
【００１８】
ジャンルキー３０５は、ミニマップの右側にジャンルメニュー(図５の５００)を生成するときに使用される。ジャンルメニュー５００が表示されると、使用者は、上向き方向キー３１１または下向き方向キー３１２を押して所望のジャンルを選択することができる。等級キー３０６は、ミニマップの右側に等級メニューを生成するときに使用される。また、画質キー３０７は、ミニマップの右側に画質メニューを生成するときに使用される。また、有料キー３１４は、ミニマップの右側に有料メニューを生成するために使用される。前記等級、画質及び有料であるか否かの選択に対する作動法も前記ジャンルキー３０５と同様である。
【００１９】
予約キー３０４は、使用者が予約した番組のみを示すときに使用される。このキーは、トグル(Toggle)方式で作動する。即ち、一度押すと、予約された番組のみが表示され、もう一度押すと、再び全体の番組が表示される。
全体のキー３０８は、ジャンルキー３０５、等級キー３０６、画質キー３０７、有料キー３１４、及び予約キー３０４により一部の番組が選択された状態で再び全体の番組を全てミニマップに示すために使用される。各種の方向キー３０９〜３１２は、カーソル(cursor)を移動するために使用される。また、ＯＫキー３１３は、特定の命令の実行前に使用者の選択の確認が必要な場合に、使用者から命令実行に対する確認を受けるために使用される。
【００２０】
一方、リモコン３００において、他のキーは通常のＴＶの作動に関するものであって、本発明とは直接的な関連がないため、その説明は省略する。
図４(ａ)は、本発明によるＥＰＧ画面モードで画面の一部にミニマップを示す図であり、図４Ｂは、番組放映モードで画面の一部にミニマップを示す図である。本発明の構成は、ＥＰＧ情報をミニマップにマッピングして提供する方法やミニマップを用いてＥＰＧ情報をディスプレイする方法からなる。ＥＰＧ情報をミニマップにマッピングして提供する方法は、一般のＰＣゲームに適用されているように、全てのＥＰＧ情報を分類された形態や指定された形態でミニマップでディスプレイする方式である。即ち、ジャンル、等級、画質などを基準として番組を分類し、各分類別に選択された項目に該当する番組のみフィルタリングされてミニマップ４１０に表示される。このように、各番組を代表してミニマップに示す図形(本実施形態においては、四角形)を番組セル(Program cell)と定義する。
【００２１】
ミニマップ４１０では、ＥＰＧに示すことができる全体の番組のうち、使用者好みのカテゴリ(Category)に該当する番組のみを表示する。ミニマップには、現在使用者が視聴している番組の位置が示されている。使用者は、このようなミニマップを用いて自分が見たい情報を一度に直観的に得ることができる。また、ミニマップは、好みの番組やチャンネルに移動するとき、地図として機能することにより、使用者に便利な使用環境を提供することができる。図４Ａ及び図４Ｂに示す構成要素が占める位置及び大きさは、本実施形態に限定されず、その他の様々な方法で表現することも可能であることはいうまでもない。
【００２２】
図４Ａを参照して、全体のディスプレイ画面４００内には、現在使用者が選択した番組の映像４２０が左側の上端に小さく表示され、その番組に関する簡単な情報４３０が一緒に表示される。また、右側の上端に本発明によるミニマップ４１０が表示される。このミニマップ４１０には、全てのＥＰＧ番組情報が表示される全体の画面がミニマップの外郭線内の部分であるとしたとき、使用者から選択されたカテゴリの番組が占める相対的な位置が表示される。また、使用者が現在視聴している番組がミニマップ４１０上で占める相対的な位置を示す番組セル４１１は、特別な方法を用いたカーソル(cursor)に表示する。前記特別な方法の一例としては、現在番組を示す番組セルに点滅する効果を与える方法、番組セルのフレームを太く表示する方法、または、同図に示すように、番組セルの外部に閉曲線を描く方法などの様々な方法がある。
【００２３】
全体のディスプレイ画面４００の下部には、従来と同様な一般のＥＰＧ情報を示すグリッドガイド(grid guide)４４０が表示されている。このグリッドガイド４４０では、全てのＥＰＧ番組情報を表すことができず、現在選択した番組を基準としてその周りの番組のタイトルが表示される。
図４Ａに示すような画面から使用者がリモコンの切り替えキー３０３を押すと、図４Ｂに示すような画面が表示される。前記図４Ｂの画面は、その他にも使用者が番組を視聴する途中でミニマップキー３０２を押したときにも同様に表示される。全体のディスプレイ画面４００に現在使用者が選択した番組の映像４２０が表示され、右側の上端にミニマップ４１０が表示される。このように、使用者が特定の番組を視聴するときにも、ミニマップを用いて特定のカテゴリの番組が、いつ、どのチャンネルで放映されるかを直観的に把握できるようにしている。この状態でリモコンの方向キー３０９乃至３１２を用いると、同じカテゴリに属する他の番組を容易に選択することができる。現在番組の位置で上下キーを用いてカーソルを他の位置に移動し、ＯＫキー３１３を押すと、現在放映中の他の番組に切り替えられる。
【００２４】
ミニマップ４１０が図４Ｃに示すように表示されるとき、現在番組４１１の位置にカーソルが位置した状態で左向き方向キーを押すと、番組４１２が選択され、現在番組４１１の位置で下向き方向キーを押すと、番組４１４が選択される。また、現在番組４１１の位置で右向き方向キーを押すと、番組４１３と番組４１５とのうち、現在番組４１１と近い位置にある番組４１５が選択される。もし、距離が同じである場合には、いずれの番組が選択されても良いが、上方に位置した番組が選択されるようにしても良い。ミニマップで空白に示される部分も実際には所定の番組が存在する部分であるが、この部分は、使用者が選択したカテゴリに該当する番組でないため、選択されない。従って、全ての番組を表示し、方向キーを用いて移動する場合に比べて、より効率的かつ直観的な方法で番組を選択することができる。
【００２５】
このような選択によって同じ時間帯の番組が選択されると、該当の番組に画面が切り替えられる。しかし、カーソルを左右側に移動し、現在の時間に放映されない番組が選択されると、放映番組の映像の代わりにその位置にその番組を代表できるスチルイメージが表示される。
もし、ミニマップにＥＰＧ全体の情報が示されない場合には、スクロールを用いて移動できるようにする。前記スクロールとは、画面の上下左右の隅部で画面の外側にカーソルを移動すれば、表示されていない画面が表れるようになることを意味する。
【００２６】
図５Ａは、全体の番組を示すミニマップ画面である。これは、ＥＰＧ情報の量により一日分量または１週間の分量の番組を表示しても良い。それぞれの番組は、時間軸やチャンネル軸を基準として２次元に配列されており、それぞれの番組ジャンルによって分類されている。各ジャンル別にそれぞれの特定の色相が割り当てられ、同じジャンルの番組は、同じ色相に表示される。
また、本実施形態には表示していないが、現在放映が終了した番組を代表する番組セルは、過去の番組であることを示す別の色相を有するように表示することもできる。例えば、現在放映が終了した番組を代表する番組セルは、全て灰色で表すことにより、使用者が視聴する番組を選択することを助けている。
【００２７】
リモコン３００のジャンルキー３０５を押すと、ミニマップの右側にジャンルメニュー５００が表示される。これを利用して好みのジャンルを選択し、該当のジャンルに属する番組のみを表示することができ、好みのジャンルを選択した後、「全て」メニュー５０１を選択して、さらに、図５Ａに示すように、ミニマップ４１０に全体ジャンルの番組を全て表示することもできる。ジャンルメニュー５００が表示されると、使用者は、上向き方向キー３１１または下向き方向キー３１２を押して好みのジャンルを選択することができる。例えば、図５Ａに示すような状態でジャンルメニュー５００の中から「ニュース５０２」ボタンを選択した場合には、図５Ｂに示すようなミニマップが表示される。
【００２８】
ジャンルキー３０５を選択し、ミニマップの右側にジャンルメニュー５００を生成し、方向キーを選択することと同様に、等級キー３０６を選択して等級メニューを表示することができる。前記等級メニューは、例えば、「だれでも」、「１２歳以上」、「１５歳以上」、「１９歳以上」などの年によって分類している。
また、画質キー３０７を選択して画質メニューを表示することができる。前記画質メニューは、例えば、「ＨＤ級」、「ＳＤ級」、「一般のＴＶ級」などの番組の画質によって分類している。また、有料キー３１４を選択して有料メニューを表示することもできる。前記有料メニューは、「有料」、「無料」に分類しても良く、有料価格帯別に分類しても良い。前記等級メニュー、画質メニュー、及び有料メニューの選択時には、画面に該当条件に合う番組のみフィルタリングされて表示される。かつ、使用者が特定の番組を予約して置いた場合には、予約キー３０４を押して予約されている番組のみフィルタリングして表示することもできる。また、本実施形態には含まれていないが、放送の進行形態、即ち、生放送、録画放送、再放送などを分類基準としたメニューを追加しても良い。
【００２９】
図５Ｃには、２つ以上の分類基準を適用して各番組がフィルタリングされた結果を示したミニマップの例を示している。前述のジャンル、等級、画質、有料であるか否か、予約の有無などの分類基準の中から２つ以上の分類基準を一緒に適用しても良い。例えば、１５歳以上の等級であるＨＤ級画質の番組をミニマップに表示しようとするときには、等級キー３０６を押して等級メニューを表示し、かつ、上下向き方向キー３１１,３１２を用いて「１５歳以上」のメニューを選択する。その次、画質キー３０７を押して画質メニューを表示し、かつ、上下向き方向キー３１１,３１２を用いて「ＨＤ級」メニューを選択する。すると、図５Ｃに示すようなフィルタリングされた結果がミニマップに表示される。
【００３０】
このように、全てのチャンネルについてのＥＰＧ情報の中から現在自分が視聴している番組が属するカテゴリを確認することにより、同じカテゴリの番組が、いつ、どのチャンネルで放映されるかに対する情報を迅速に得ることが可能となる。また、好みの他の番組にチャンネルを切り替える場合、現在の自分の位置を容易に把握できるため、迅速に移動することができる。
【００３１】
図６は、本発明による全体動作を示すフローチャートである。
先ず、使用者がデジタル放送受信機のディスプレイを付けると、現在のチャンネルで放映される番組の画面が表示される(Ｓ６００)。即ち、図４Ｂに示すような番組放映モードになる。次に、使用者が前記番組放映モードでミニマップを見たいときには(Ｓ６１０)、ミニマップキーを押して放映中の番組画面の一部にミニマップを表示する(Ｓ６２２)。また、図４Ａに示すようなＥＰＧ画面モードで見たい場合には(Ｓ６１０)、ＥＰＧキーを押して前記番組放映モードからＥＰＧ画面モードに切り替える(Ｓ６２０)。すると、ＥＰＧ画面モードの画面の一部にミニマップが表示される(Ｓ６２１)。
【００３２】
次に、使用者は、設定したいカテゴリの該当の項目を選択する(Ｓ６３０)。前記カテゴリには、ジャンル、等級、画質、有料であるか否か、予約の有無、放送の進行形態などがある。前記該当の項目の選択は、好みの全てのカテゴリに対して設定するまで行う(Ｓ６４０)。使用者が好みの全てのカテゴリに対して設定を終了すると、使用者の設定によりフィルタリングされた結果がミニマップに表示される(Ｓ６５０)。これにより、使用者は、直観的に現在の番組の位置やミニマップに表示された他の番組の相対的な位置を把握することができる。
【００３３】
もし、使用者が現在視聴している番組とは異なる番組を選択したい場合には(Ｓ６６０)、リモコンの方向キーを押して他の番組を選択すれば良い(Ｓ６７０)。もし、選択された番組が現在放映可能であれば(Ｓ６８０)、即ち、番組の放映時間が現在の時間帯である場合には、選択された番組の放映画面に切り替えられる(Ｓ６９０)。しかし、選択された番組が現在放映ができないと(Ｓ６８０)、選択された番組を代表するスチルイメージを表示する画面に切り替えられる(Ｓ６９１)。
【００３４】
以上のように、上記実施形態を参照して詳細に説明され図示したが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【００３５】
【図１】従来のＴＶに表示されたＥＰＧ画面を示す図である。
【図２】本発明の実施形態によるデジタル放送受信機の構成を示すブロック図である。
【図３】本発明の実施形態によるリモコンの外観を示す図である。
【図４Ａ】本発明によるＥＰＧ画面モードにおける画面の一部にミニマップを示す図である。
【図４Ｂ】番組放映モードにおける画面の一部にミニマップを示す図である。
【図４Ｃ】ミニマップを用いてチャンネルを切り替える過程を示す図である。
【図５Ａ】全体の番組を表示したミニマップ画面である。
【図５Ｂ】ジャンルメニューにおけるニュース項目を選択した場合に表示されるミニマップである。
【図５Ｃ】２つ以上の分類基準を適用してフィルタリングした結果を示すミニマップである。
【図６】本発明による動作を示すフローチャートである。
【符号の説明】
【００３６】
１００…リモコン
２００…デジタル放送受信機
２０３…アンテナ
２０４…チューナー
２０５…復調部
２０６…逆多重化部
２０７…限定受信処理部
２０８…ビデオデコーダ
２０９…ディスプレイプロセッサ
２１０…オーディオデコーダ
２１１…音声処理部
２１４…フラッシュメモリ
２１５…ＲＯＭ
２１６…ＲＡＭ
２１７…ＣＰＵ
２２０…暗号解読部
２２１…ＩＣカード
３００…リモコン
３０５…ジャンルキー
３０２…ミニマップキー
３０３…リモコンの切り替えキー
３０６…等級キー
３０７…画質キー
３０９〜３１２…リモコンの方向キー
３１１…上向き方向キー
３１２…下向き方向キー
３１３…ＯＫキー
３１４…有料キー
４００…ディスプレイ画面
４１０…ミニマップ
４１１…番組セル
４２０…番組の映像
４４０…グリッドガイド
５００…ジャンルメニュー
【図１】
2005080282.tif 000003
【図２】
2005080282.tif 000004
【図３】
2005080282.tif 000005
【図４Ａ】
2005080282.tif 000006
【図４Ｂ】
2005080282.tif 000007
【図４Ｃ】
2005080282.tif 000008
【図５Ａ】
2005080282.tif 000009
【図５Ｂ】
2005080282.tif 000010
【図５Ｃ】
2005080282.tif 000011
【図６】
2005080282.tif 000012